【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
ホスト装置に接続され、該ホスト装置からのコマンド及びデータに基づいて印刷を行う印刷装置において、
前記印刷装置の動作の回数をカウントする第１動作回数カウント手段と、
前記印刷装置の動作と同一の動作の回数をカウントする第２動作回数カウント手段と、
前記第１動作回数カウント手段の第１カウント値を第１履歴データとして、前記第２動作回数カウント手段の第２カウント値を第２履歴データとして記憶する不揮発性記憶手段と、
前記ホスト装置から受信した第１コマンドに応じて、前記第１履歴データを変更する動作回数変更手段と、
前記ホスト装置から受信した第２コマンドに応じて、前記第１及び／又は第２履歴データを前記ホスト装置に送信する動作回数送信手段と、
を有することを特徴とする印刷装置。
【請求項２】
請求項１記載の印刷装置において、
前記第１及び第２カウント手段を複数有することを特徴とする印刷装置。
【請求項３】
ホスト装置に接続され、該ホスト装置からのコマンド及びデータに基づいて印刷を行う印刷装置において、
前記印刷装置の動作の回数をカウントする動作回数カウント手段と、
前記動作回数カウント手段のカウント値を第２履歴データとして、及び、前記ホスト装置から受信した第１コマンドに応じて、前記動作回数カウント手段のカウント値を参照値として格納する不揮発性記憶手段と、
前記ホスト装置から受信した第２コマンドに応じて前記第２履歴データと前記参照値との差を第１履歴データとし該第１履歴データを、及び／又は、前記第２履歴データを、前記ホスト装置に送信する動作回数送信手段と、
を有することを特徴とする印刷装置。
【請求項４】
ホスト装置に接続され、該ホスト装置からのコマンド及びデータに基づいて印刷を行う印刷装置において、
前記印刷装置の動作の回数をカウントする動作回数カウント手段と、
前記動作回数カウント手段のカウント値を第１履歴データとして、及び、前記印刷装置の総動作回数を示す第２カウント値を格納する不揮発性記憶手段と、
前記ホスト装置から受信した第１コマンドに応じて、前記第２カウント値に前記動作回数カウント手段のカウント値を加えると共に、前記動作回数カウント手段のカウント値を変更する動作回数変更手段と、
前記ホスト装置から受信した第２コマンドに応じて、前記第１履歴データを、及び／又は、前記第１履歴データと前記第２カウント値との和を第２履歴データとし該第２履歴データを、前記ホスト装置に送信する動作回数送信手段と、
を有することを特徴とする印刷装置。
【請求項５】
請求項３又は４記載の印刷装置において、
前記動作回数カウント手段を複数有することを特徴とする印刷装置。
【請求項６】
請求項１〜５の何れかに記載の印刷装置において、
前記印刷装置の稼働時間を計測する稼働時間計測手段と、
前記稼働時間計測手段が計測する所定時間毎に、前記印刷装置が所定の処理を行っているか否かを判断する判断手段とを有し、
前記判断手段の結果に応じて所定の処理を行っていないと判断された場合に、前記履歴データを前記記憶手段に格納することを特徴とする印刷装置。
【請求項７】
請求項６記載の印刷装置において、
前記判断手段の結果に応じて所定の処理を行っていると判断された場合には、前記稼働時間計測手段により前記所定時間よりも大きな第２の時間が計測されたとき、又は前記所定時間の経過後所定の処理を行っていないと判断されたときに、前記履歴データを前記記憶手段に格納することを特徴とする印刷装置。
【請求項８】
請求項１〜５の何れかに記載の印刷装置において、
前記履歴データを寿命判定指標値に換算する動作回数換算手段を有し、
前記動作回数送信手段は、前記寿命判定指標値を送信することを特徴とする印刷装置。
【請求項９】
請求項１〜５の何れかに記載の印刷装置において、
前記履歴データを寿命判定指標値に換算する動作回数換算手段と、
前記履歴データ及び／又は前記寿命判定指標値をコード化するデータ変換手段とを有し、
前記動作回数送信手段は、前記コード化データを送信することを特徴とする印刷装置。
【請求項１０】
請求項１〜５の何れかに記載の印刷装置において、
前記履歴データを寿命判定指標値に換算する動作回数換算手段と、
前記履歴データ及び／又は前記寿命判定指標値を表示する動作回数表示手段とを有することを特徴とする印刷装置。
【請求項１１】
請求項１０記載の印刷装置において、
前記動作回数表示手段は、前記履歴データ及び／又は前記寿命判定指標値を印刷表示する動作回数印刷手段を有することを特徴とする印刷装置。
【請求項１２】
請求項６又は７記載の印刷装置において、
前記ホスト装置から受信した第３コマンドに応じて、前記稼働時間計測手段にかかわらず、前記履歴データを前記記憶手段に格納することを特徴とする印刷装置。
【請求項１３】
ホスト装置に接続され、該ホスト装置からのコマンド及びデータに基づいて印刷を行う印刷装置を制御する方法において、
前記印刷装置の動作の回数をカウントする第１動作回数カウント工程と、
前記印刷装置の動作と同一の動作の回数をカウントする第２動作回数カウント工程と、
前記第１動作回数カウント工程の第１カウント値を第１履歴データとして、前記第２動作回数カウント工程の第２カウント値を第２履歴データとして不揮発性記憶手段に格納する格納工程と、
前記ホスト装置から受信した第１コマンドに応じて、前記第１履歴データを変更する工程と、
前記ホスト装置から受信した第２コマンドに応じて、前記第１及び／又は第２履歴データを前記ホスト装置に送信する動作回数送信工程と、
を有することを特徴とする印刷装置の制御方法。
【請求項１４】
請求項１３記載の印刷装置の制御方法において、
前記第１及び第２カウント工程では、前記印刷装置の複数の動作の回数をカウントすることを特徴とする印刷装置の制御方法。
【請求項１５】
ホスト装置に接続され、該ホスト装置からのコマンド及びデータに基づいて印刷を行う印刷装置を制御する方法において、
前記印刷装置の動作の回数をカウントする動作回数カウント工程と、
前記動作回数カウント工程のカウント値を第２履歴データとして、及び、前記ホスト装置から受信した第１コマンドに応じて前記動作回数カウント工程のカウント値を参照値として不揮発性記憶手段に格納する格納工程と、
前記ホスト装置から受信した第２コマンドに応じて、前記第２履歴データと前記参照値との差を第１履歴データとし該第１履歴データを、及び／又は、前記第２履歴データを、前記ホスト装置に送信する動作回数送信工程と、
を有することを特徴とする印刷装置の制御方法。
【請求項１６】
ホスト装置に接続され、該ホスト装置からのコマンド及びデータに基づいて印刷を行う印刷装置を制御する方法において、
前記印刷装置の動作の回数をカウントする動作回数カウント工程と、
前記動作回数カウント工程のカウント値を第１履歴データとして、及び、前記印刷装置の総動作回数を示す第２カウント値を不揮発性記憶手段に格納する格納工程と、
前記ホスト装置から受信した第１コマンドに応じて、前記第２カウント値に前記動作回数カウント工程のカウント値を加えると共に、前記動作回数カウント工程のカウント値を変更する動作回数変更工程と、
前記ホスト装置から受信した第２コマンドに応じて、前記第１履歴データを、及び／又は、前記第１履歴データと前記第２カウント値との和を第２履歴データとし該第２履歴データを、前記ホスト装置に送信する動作回数送信工程と、
を有することを特徴とする印刷装置の制御方法。
【請求項１７】
請求項１５又は１６記載の印刷装置の制御方法において、
前記カウント工程では、前記印刷装置の複数の動作の回数をカウントすることを特徴とする印刷装置の制御方法。
【請求項１８】
請求項１３〜１７の何れかに記載の印刷装置の制御方法において、
前記印刷装置の稼働時間を計測する工程と、
前記稼働時間計測工程が計測する所定時間毎に、前記印刷装置が所定の処理を行っているか否かを判断する判断工程とを有し、
前記判断工程の結果に応じて所定の処理を行っていないと判断された場合に、前記履歴データを前記記憶手段に格納することを特徴とする制御方法。
【請求項１９】
請求項１８記載の印刷装置の制御方法において、
前記判断工程の結果に応じて所定の処理を行っていると判断された場合には、前記稼働時間計測工程により前記所定時間よりも大きな第２の時間が計測されたとき、又は前記所定時間の経過後所定の処理を行っていないと判断されたときに、前記履歴データを前記記憶手段に格納することを特徴とする制御方法。
【請求項２０】
請求項１３〜１７の何れかに記載の印刷装置の制御方法において、
前記履歴データを寿命判定指標値に換算する工程を有し、
前記動作回数送信工程においては、前記寿命判定指標値を送信することを特徴とする制御方法。
【請求項２１】
請求項１３〜１７の何れかに記載の印刷装置の制御方法において、
前記履歴データを寿命判定指標値に換算する工程と、
前記履歴データ及び／又は前記寿命判定指標値をコード化する工程とを有し、
前記動作回数送信工程においては、前記コード化データを送信することを特徴とする制御方法。
【請求項２２】
請求項１３〜１７の何れかに記載の印刷装置の制御方法において、
前記履歴データを寿命判定指標値に換算する工程と、
前記履歴データ及び／又は前記寿命判定指標値を表示する工程とを有することを特徴とする制御方法。
【請求項２３】
請求項２２記載の印刷装置の制御方法において、
前記動作回数表示工程は、前記記憶手段に格納された前記履歴データ及び／又は前記寿命判定指標値を印刷表示する動作回数印刷工程を有することを特徴とする制御方法。
【請求項２４】
請求項１７又は１８記載の印刷装置の制御方法において、
前記ホスト装置から受信した第３コマンドに応じて、前記稼働時間計測工程にかかわらず、前記履歴データを前記記憶手段に格納することを特徴とする制御方法。
【請求項２５】
請求項１３〜２４の何れかに記載の印刷装置の制御方法を実現するためのコンピュータプログラムを格納したコンピュータ読み取り可能な記録媒体。